(57)【要約】【課題】  設置の簡便性とシステム運用の柔軟性を提供する。【解決手段】  多チャネル光送信システムでの光チャネル多重化装置において、送信光チャネルを発生させるためのチャネル発生手段（個別送信機）と、該チャネル発生手段から発生された光チャネル信号と、中心波長が同じ中心波長を有する送信機別出力段の光学帯域通過フィルタリング手段とを含み、該光学帯域通過フィルタリング手段により通過する信号のピーク波長は、送信される光チャネル信号の中心波長と同じで、他の個別送信機から入力される「中心波長以外の波長を有する光チャネル信号」に対しては、損失なしに反射し、前記個別送信機での「中心波長を有する光チャネル信号」と他の個別送信機での「中心波長以外の波長を有する光チャネル信号」をチャネル多重化する。【選択図】  図４
2006166410.tif 000002
【特許請求の範囲】
【請求項１】
多チャネル光送信システムでの光チャネル多重化装置において、
送信光チャネルを発生させるためのチャネル発生手段（個別送信機）と、
該チャネル発生手段から発生された光チャネル信号と、中心波長が同じ中心波長を有する送信機別出力段の光学帯域通過フィルタリング手段とを含み、
該光学帯域通過フィルタリング手段により通過する信号のピーク波長は、送信される光チャネル信号の中心波長と同じで、他の個別送信機から入力される「中心波長以外の波長を有する光チャネル信号」に対しては、損失なしに反射し、前記個別送信機での「中心波長を有する光チャネル信号」と他の個別送信機での「中心波長以外の波長を有する光チャネル信号」をチャネル多重化することを特徴とする光チャネル多重化装置。
【請求項２】
個別送信機間に直列接続させ、第１個別送信機の出力信号を、第２個別送信機の入力として接続するための光ジャンパコードをさらに含むことを特徴とする請求項１に記載の光チャネル多重化装置。
【請求項３】
前記送信機別の光学帯域通過フィルタリング手段が、送信機別に備わり、所定の送信機から出力される波長がλｃである光チャネル信号を通過させると同時に、反対方向に入力される信号に対しては、波長λｃ以外の全ての波長に対して反射する特性を有することを特徴とする請求項１又は２に記載の光チャネル多重化装置。
【請求項４】
請求項１または請求項２に記載の光チャネル多重化装置によりチャネル多重化された光チャネル信号を、逆多重化する多チャネル光受信システムでの光チャネル逆多重化装置において、
送信端から出力された光チャネル信号の波長と同じ中心波長を有する受信機別入力端の光学帯域通過フィルタリング手段を含み、前記光学帯域通過フィルタリング手段により通過する信号のピーク波長は、受信する光チャネル信号の中心波長と同じで、他の個別受信機から入力される「中心波長以外の波長を有する光チャネル信号」に対しては、損失なしに反射し、「中心波長を有する光チャネル信号」を前記個別受信機で、「中心波長以外の波長を有する光チャネル信号」を他の個別受信機でチャネル逆多重化することを特徴とする光チャネル逆多重化装置。
【請求項５】
個別受信機間に直列接続させ、第１個別受信機から反射された信号を、第２個別受信機の入力に接続するための光ジャンパコードをさらに含むことを特徴とする請求項４に記載の光チャネル逆多重化装置。
【請求項６】
前記光学帯域通過フィルタリング手段は、前記送信端の光学帯域通過フィルタリング手段と同じ個数及び順に配置されることを特徴とする請求項４又は５に記載の光チャネル逆多重化装置。
【請求項７】
請求項１または請求項２に記載の光チャネル多重化装置により複数の光チャネル信号を多重化する時光チャネル波長安定化のための装置において、
最終多重化された多チャネル信号を光経路上で反射するための反射フィルタリング手段と、
前記光学帯域通過フィルタリング手段により通過する「中心波長を有する光チャネル信号」を光カプラーを通し受け取って、前記光学帯域通過フィルタリング手段の透過帯域から抜け出す場合、これに比例してエラー信号を発生するための送信機別光検出手段と、
該光検出手段のこのエラー信号をプロセシングし、これを基に光源駆動器の駆動電流を制御して、動作波長を前記光学帯域通過フィルタリング手段の透過ピークに固定させる送信機別調節手段と
を含むことを特徴とする光チャネル波長安定化装置。
【請求項８】
前記個別送信機で、光チャネルの波長安定化及び整列のために複数の局部発振信号を用いずに、１つの局部発振信号だけを用いて全ての光源を同じ周波数に変調することを特徴とする請求項７に記載の光チャネル安定化装置。
【請求項９】
前記光カプラーが、光回転機（ｏｐｔｉｃａｌ  ｃｉｒｃｕｌａｔｏｒ）に代替可能であることを特徴とする請求項７又は８に記載の光チャネル安定化装置。
【発明の詳細な説明】
【技術分野】
【０００１】
本発明は、多チャネル光送信システムでの光チャネル多重化／逆多重化装置及びそれを利用した光チャネルの波長の安定化装置、特に複数の光チャネルを用いる波長分割多重（ＷＤＭ）方式の光送信システムにおいて、個別の光チャネルの多重及び逆多重化機能を別途のユニットを用いず、個別送信機と受信機に装着された光学帯域通過フィルタ（ｏｐｔｉｃａｌ  ｂａｎｄｐａｓｓ  ｆｉｌｔｅｒ）によって行うようにし、システム容量の拡張のために光チャネルが追加される場合、設置の簡便性とシステム運用の柔軟性とを提供できる光チャネル多重化／逆多重化装置に関する。
【０００２】
また、本発明は、多重化方式で多重化された信号経路に対し、低反射率を有する広帯域の反射フィルタを用いて、簡単に各チャネルの動作波長を内蔵した光学帯域通過フィルタの中心波長に合うように整列し、光源の波長を安定化させることができる光チャネル波長安定化装置に関する。
【０００３】
一般に、多チャネル光送信システムの送信端では、図１に示しているように複数の送信機１１−１〜１１−ｎから出力される複数の光チャネル信号を光多重化器（ＭＵＸ：ｍｕｌｔｉｐｌｅｘｅｒ）１２で多重化し、光ファイバを通して送信する。一方、送信されてきた複数の光チャネル信号は、受信端で逆多重化器（ＤＥＭＵＸ：ｄｅｍｕｌｔｉｐｌｅｘｅｒ）１３で逆多重化され、個別受信機１４−１〜１４−ｎに入力される。
【０００４】
このような方式の構成においては、多重化及び逆多重化素子にアレイ導波路格子（ａｒｒａｙｅｄ  ｗａｖｅｇｕｉｄｅ  ｇｒａｔｉｎｇ）フィルタや、薄膜フィルタ型の多重化／逆多重化素子を用いて、別の多重化ユニット、逆多重化ユニットを用いることが一般的である。
【０００５】
ところが、このような多重化及び逆多重方式において、受容できる光チャネルは、一定の周期に既に決定されている。例えば、１００ＧＨｚチャネル間隔のアレイ導波路格子フィルタを用いた場合を例にすると、図２に示しているように、透過帯域の中心波長がλ１、λ２、．．．、λＮに既に決定されている。このような既存の多チャネル多重化装置は、全てのチャネルがシステム動作の時点から完全に実装されている場合には有用に用いられることができるが、システム動作の時点から光チャネルを部分的に実装した後、騒擾が発生して光チャネルを追加する場合には、光チャネルの波長を必ず以前に設置した多重化装置の特性に合せなければならないという設置上の制約がつくようになる。そして、このような機能を別途のユニットを用いるため、これに対するシステム次元での維持補修の機能が必要となる。それだけではなく、受信端での多チャネルに対する逆多重化も既に使用波長が決定された逆多重化器を用いて行うようになる。
【０００６】
一方、多チャネル送信システムの送信端では、光チャネルの動作波長をＩＴＵグリッドに整列させ、外部環境の変化に関係なく同じ波長で運用できるように光チャネルの波長を安定化させる方法が必要である。このための方法として、複数の個別の送信チャネルに局部発振器を用いてそれぞれ異なる周波数に変調させ、これを安定化した複数の透過特性を有する共振器を通過させ、この時光チャネルが共振器のピークから抜け出す程度に比例して発生するエラー信号を光検出器（ＰＤ：Ｐｈｏｔｏ  Ｄｅｔｅｃｔｏｒ）で検出し、これを比例／積分／微分（ＰＩＤ：Ｐｒｏｐｏｒｔｉｏｎ／Ｉｎｔｅｇｒａｔｉｏｎ／Ｄｉｆｆｅｒｅｎｔｉａｔｉｎｇ）装置を用いて光源（ＬＤ：Ｌａｓｅｒ  Ｄｉｏｄｅ）の動作電流や温度を制御する方式である。このための方式及び装置に対する具体的な技術を以下に説明する。
【０００７】
その一例として特許文献１（以下「第１先行技術」とする）が存在するが、前記第１先行技術は、複数の局部発振器、複数の送信機、光結合器、光ファイバフィルタ、光検出器及び光周波数の安定化用の調節器を備えてなる多チャネル周波数の安定化装置に関する。
【０００８】
前記第１先行技術では、個別の光源の中心周波数を揺らすために、局部発振器を用いて低周波信号を送信機に印加し、このようないくつかの光信号が光結合器により多重化された後、光ファイバフィルタを通過するようになる。この時、光ファイバフィルタは、一種の共振器で特定周波数に対して透過する特性を有しているが、この時、透過されず反射されて出てくる信号に対し光検出器を用いてエラー信号を検出し、光周波数の安定化用の調節器に送信して光源の電流を適切に調節して周波数を安定化させる。
【０００９】
このように、前記第１先行技術では、別途の多重化ユニットにおいて共振器であるフィルタを用いて周波数を安定化させることができるが、共振条件により決まった周波数以外に異なる周波数に対しては、整列及び安定化させることができないため、以後光チャネルを追加する場合、光チャネルの動作波長を制限するという短所を有する。
【００１０】
一方、他の例として特許文献２（以下「第２先行技術」とする）が存在するが、前記第２先行技術では、波長分割多重（ＷＤＭ）方式の多チャネル送信システムにおいて、各光源の波長を一定に整列させるためのエラー信号検出のための手段としてアレイ導波路格子（ａｒｒａｙｅｄ  ｗａｖｅｇｕｉｄｅ  ｇｒａｔｉｎｇ）フィルタを用いて、エラー信号を検出して光チャネルの動作波長を整列及び安定化させた。
【００１１】
しかし、前記第２先行技術もまた複数の透過ラインを有するアレイ導波路格子フィルタを用いため、定められた周波数以外に異なる周波数に対しては、整列及び安定化させることができないため、以後光チャネルを追加する場合、光チャネルの動作波長を制限するという短所を有する。また、全てのチャネルを多重化した信号を光検出器で検出するために、チャネル区分のために個別チャネルに対して局部発振器とロッキング増幅器が別に必要となる。
【００１２】
【特許文献１】米国特許登録番号５５８９９７０号
【特許文献２】米国特許登録番号６１１８５６２号
【発明の開示】
【発明が解決しようとする課題】
【００１３】
本発明は、上述した従来の技術の問題点を解決するためになされたものであって、その目的とするところは、複数の光チャネルを用いる波長分割多重（ＷＤＭ）方式の光送信システムにおいて、個別の光チャネルの多重及び逆多重化機能を別のユニットを用いず、個別送信機と受信機とに装着された光学帯域通過フィルタによって行うようにし、システム容量の拡張のために光チャネルが追加される場合、設置の簡便性とシステム運用の柔軟性とを提供できる光チャネル多重化／逆多重化装置を提供することにある。
【００１４】
また、本発明の他の目的は、多重化方式で多重化された信号経路に対し、低反射率を有する広帯域の反射フィルタを用いて、簡単に各チャネルの動作波長を内蔵した光学帯域通過フィルタの中心波長に合うように整列し、光源の波長を安定化させることができる光チャネル波長安定化装置を提供することにある。
【課題を解決するための手段】
【００１５】
前記目的を達成するための本発明は、多チャネル光送信システムでの光チャネル多重化装置において、送信光チャネルを発生させるためのチャネル発生手段（個別送信機）と、該チャネル発生手段から発生された光チャネル信号と、中心波長が同じ中心波長を有する送信機別出力段の光学帯域通過フィルタリング手段とを含み、該光学帯域通過フィルタリング手段により通過する信号のピーク波長は、送信される光チャネル信号の中心波長と同じで、他の個別送信機から入力される「中心波長以外の波長を有する光チャネル信号」に対しては、損失なしに反射し、前記個別送信機での「中心波長を有する光チャネル信号」と他の個別送信機での「中心波長以外の波長を有する光チャネル信号」をチャネル多重化することを特徴とする。
【００１６】
また、本発明は個別送信機間に直列接続させ、第１個別送信機の出力信号を、第２個別送信機の入力として接続するための光ジャンパコードをさらに含む。
【００１７】
一方、本発明は多チャネル光受信システムでの光チャネル逆多重化装置において、送信端から出力された光チャネル信号の波長と同じ中心波長を有する受信機別入力端の光学帯域通過フィルタリング手段を含み、前記光学帯域通過フィルタリング手段により通過する信号のピーク波長は、受信する光チャネル信号の中心波長と同じで、他の個別受信機から入力される「中心波長以外の波長を有する光チャネル信号」に対しては、損失なしに反射し、「中心波長を有する光チャネル信号」を前記個別受信機で、「中心波長以外の波長を有する光チャネル信号」を他の個別受信機でチャネル逆多重化する。
【００１８】
また、本発明は個別受信機間に直列接続させ、第１個別受信機から反射される信号を、第２個別受信機の入力に接続するための光ジャンパコードをさらに含むことを特徴とする。
【００１９】
一方、前記他の目的を達成するための本発明は、最終多重化された多チャネル信号を光経路上で反射するための反射フィルタリング手段と、前記光学帯域通過フィルタリング手段により通過する「中心波長を有する光チャネル信号」を光カプラーを通し受け取って、前記光学帯域通過フィルタリング手段の透過帯域から抜け出す場合、これに比例してエラー信号を発生するための送信機別光検出手段と、該光検出手段のこのエラー信号をプロセシングし、これを基に光源駆動器の駆動電流を制御して、動作波長を前記光学帯域通過フィルタリング手段の透過ピークに固定させる送信機別調節手段とを含むことを特徴とする。
【００２０】
本発明は、複数の光チャネルを用いる波長分割多重（ＷＤＭ）方式の光送信システムで、個別の光チャネルの多重及び逆多重化機能を別途のユニットを用いず、個別送信機と受信機とに装着された光学帯域通過フィルタを介して行い、システム容量の拡張のために光チャネルが追加される場合、設置の簡便性とシステム運用の柔軟性を提供できる。また、本発明では、個別送信機に内蔵された光学帯域通過フィルタと多重化された信号経路とで用いられる広帯域（ｂｒｏａｄｂａｎｄ）反射フィルタを用いて簡単に各チャネルの動作波長を整列及び安定化させる。
【００２１】
したがって、本発明による多重化及び逆多重化装置を利用する場合、初期システム導入後に必要となる部分的なラインカードの追加や交替時の送信チャネルの波長特性に関係なく、柔軟なラインカードの追加が可能である。また、階層別の管理時、光多重化区間が実質的に光チャネル区間と同じであるため、別途の維持補修なしにシステム運用が可能である。また、本発明による多重化装置で多重化された信号経路に対し、低反射率を有する広帯域反射フィルタを用いて、簡単に各チャネルの動作波長を内蔵された光学帯域通過フィルタの中心波長に合うように整列し、光源の波長を安定化させることができる。
【発明の効果】
【００２２】
本発明は、多重化／逆多重化装置を用いる場合、初期システム導入後に必要となる部分的なラインカードの追加や、交替時の送信チャネルの波長特性に関係なく、柔軟なラインカードの追加が可能であるという効果を得られる。また、階層別の管理時、光多重区間が実質的に光チャネル区間と同じであるため、別の維持補修なしにシステム運用が可能であるという効果が得られる。
【００２３】
また、本発明の多重化装置で多重化された信号経路に対し、低反射率を有する広帯域の反射フィルタを用いて、既存の方式で必要な局部発振器とロッキング増幅器とを用いなくても、さらに簡単に各チャネルの動作波長を内蔵された光学帯域通過フィルタの中心波長に合うように整列し、波長安定化を期することができるという効果が得られる。
【発明を実施するための最良の形態】
【００２４】
以下、本発明のもっとも好ましい実施の形態を添付する図面を参照して説明する。
【００２５】
図３は、本発明に係る光チャネル多重化／逆多重化装置に用いられる光学帯域通過フィルタの動作特性を示す一実施の形態の説明図である。
【００２６】
図３に示しているように、光学帯域通過フィルタは、送信機から出力される波長がλｃである光チャネル信号を通過させると同時に、反対方向に入力される信号に対しては、波長λｃ以外の全ての波長に対して反射するという特性を有している。例えば、中心波長がλ４である光学帯域通過フィルタは、送信機から出力されるλ４である光チャネル信号を通過させると同時に、反対方向に入力される信号λ１＋λ２＋λ３に対しては、波長λ４以外の全ての波長に対して反射するため、λ１＋λ２＋λ３＋λ４である光チャネル信号を出力する。
【００２７】
したがって、光学帯域通過フィルタを個別送信機の出力端に装着し、複数の光チャネルを多重化できる（図４参照）。また、光学帯域通過フィルタを個別に受信機の入力端に装着し、複数の光チャネルを逆多重化できる（図６参照）。
【００２８】
図４は、本発明に係る光チャネル多重化装置が適用される光送信システムの一実施の形態の構成図であり、光学帯域通過フィルタが個別送信機の出力端に装着され、複数の光チャネルを多重化する過程を示す。
【００２９】
まず、第１送信機４１において、適切なデータに変調されてその中心波長がλ１である光チャネル信号は、中心波長がλ１である光学帯域通過フィルタ４１２を経て出力される。この時、第１送信機４１での光学帯域通過フィルタ４１２は必ずしも必要なものではないことが分かる。
【００３０】
次いで、第１送信機４１の出力光チャネル信号は、光ジャンパコードを介して第２送信機４２の光チャネル入力端に入力され、第２送信機４２においては、適切なデータに変調されてその中心波長がλ２である光チャネル信号が、中心波長がλ２である光学帯域通過フィルタ４２２を経た後出力される。この時、光学帯域通過フィルタ４２２の特性は、前記図３で説明したように、送信光チャネルに対して１００％通過する特性を有し、反対方向に入力される異なる波長の信号は、損失なしに反射する機能を有する。したがって、第２送信機４２の出力段では、第１送信機４１から入力される中心波長がλ１である光チャネル信号と第２送信機４２から出力される中心波長がλ２である光チャネル信号とが多重化されてλ１＋λ２出力される。
【００３１】
また、第３送信機４３が必要な場合、第２送信機４２の出力光チャネル信号λ１＋λ２を光ジャンパコードを用いて第３送信機４３の光チャネル入力端に入力させる。すると、第３送信機４３の出力段では、第１送信機４１及び第２送信機４２の光チャネル信号λ１＋λ２と第３送信機４３の光チャネル信号λ３とが同時に出力される。すなわち、第３送信機４３では、適切なデータに変調されてその中心波長がλ３である光チャネル信号が、中心波長がλ３である光学帯域通過フィルタ４３２を経た後出力される。この時、光学帯域通過フィルタ４３２の特性は、前記図３で説明したように、送信光チャネルに対して１００％通過する特性を有し、反対方向に入力される異なる波長の信号は、損失なしに反射する機能を有する。したがって、第３送信機４３の出力段では、第１送信機４１及び第２送信機４２から入力される光チャネル信号λ１＋λ２と第３送信機４３から出力される中心波長がλ３である光チャネル信号とが多重化されてλ１＋λ２＋λ３出力される。
【００３２】
また、第４送信機４４が必要な場合、第３送信機４３の出力光チャネル信号λ１＋λ２＋λ３を光ジャンパコードを用いて第４送信機４４の光チャネル入力端に入力させる。すると、第４送信機４３の出力段では、第１ないし第３送信機４１〜４３の光チャネル信号λ１＋λ２＋λ３と第４送信機４４の光チャネル信号λ４とが同時に出力される。すなわち、第３送信機４３においては、適切なデータに変調されその中心波長がλ４である光チャネル信号が、中心波長がλ４である光学帯域通過フィルタ４４２を経た後出力される。この時、光学帯域通過フィルタ４４２の特性は、前記図３で説明したように、送信光チャネルに対して１００％通過する特性を有し、反対方向に入力される異なる波長の信号は損失なしに反射する機能を有する。したがって、第４送信機４４の出力段では、第１ないし第３送信機４１〜４３から入力される光チャネル信号λ１＋λ２＋λ３と第４送信機４４とから出力される中心波長がλ４である光チャネル信号とが多重化されてλ１＋λ２＋λ３＋λ４出力される。
【００３３】
同じ方法で継続して拡張が可能である。
【００３４】
このような方法を用いると、別の多重化装置なしにトランスポンダーラインカードだけスロットに装着することで、全ての信号の多重化がなされるようになる。
【００３５】
整理してみると、多チャネル光送信システムでの光チャネル多重化装置は、送信光チャネルを発生させるためのチャネル発生器（個別送信機）４１１、４２１、４３１、４４１と、チャネル発生器４１１、４２１、４３１、４４１から発生された光チャネル信号と、中心波長が同じ中心波長を有する送信機４１〜４４出力段の光学帯域通過フィルタ４１２、４２２、４３２、４４２とを含み、光学帯域通過フィルタ４１２、４２２、４３２、４４２を介して通過する信号のピーク波長は、送信される光チャネル信号の中心波長と同じであり、他の送信機から入力される「中心波長以外の波長を有する光チャネル信号」に対して損失なしに反射し、該送信機での「中心波長を有する光チャネル信号」と、他の送信機での「中心波長以外の波長を有する光チャネル信号」とをチャネル多重化する。
【００３６】
図５は、本発明に係る光チャネル多重化装置が適用される光送信システムにおける光チャネル波長安定化装置を示す一実施の形態の説明図であり、４チャネル多重化装置における光チャネルの波長を所望の波長に整列させ安定化する過程を示す。
【００３７】
図４に示しているように、第１ないし第４送信機５１〜５４が直列に接続している４チャネル多重化装置において、第４送信機５４の出力段では、第１ないし第３送信機５１〜５３から入力される光チャネル信号λ１＋λ２＋λ３と、第４送信機５４から出力される中心波長がλ４である光チャネル信号とが多重化されてλ１＋λ２＋λ３＋λ４出力される。
【００３８】
ところが、多重化された光経路上に低い反射率を有する広帯域の反射フィルタ５５を設置し、多重化された信号の一部を反射させると、４チャネル信号λ１＋λ２＋λ３＋λ４は、また第４送信機５４に入力され、ここで中心波長がλ４である光学帯域通過フィルタ５４５を介してλ４は通過し、異なる波長の光チャネル信号λ１＋λ２＋λ３は反射されて第３送信機５３に入力される。
【００３９】
また、第３送信機５３で反射された３チャネル信号λ１＋λ２＋λ３は、第３送信機５３に用いられた中心波長がλ３である光学帯域通過フィルタ５３５を介してλ３は通過し、異なる波長の光チャネル信号λ１＋λ２は反射されて第２送信機５２に入力される。
【００４０】
また、第２送信機５２で反射された２チャネル信号λ１＋λ２は、第２送信機５２に用いられた中心波長がλ２である光学帯域通過フィルタ５２５を介してλ２は通過し、異なる波長の光チャネル信号λ１は反射されて第１送信機５２に入力される。
【００４１】
最後に、第１送信機５１で反射された中心波長がλ１である光チャネル信号は、第１送信機５１に用いられた中心波長がλ１である光学帯域通過フィルタ５１５を介して通過する。
【００４２】
前記第１ないし第４送信機５１〜５４から出力される光信号は、ｆの値を有する周波数で、光源（ＬＤ）の中心周波数を揺さぶるディザリングをするようになるが、この時印加される局部発振信号は個別送信機５１〜５４にそれぞれ用いられず、別途の装置（ディザリング信号発生器５０）で１つだけ用いて、全ての送信機５１〜５４に供給される。
【００４３】
例えば、第４送信機５４の光検出器４（５４３）には、光学帯域通過フィルタ５４５を２度通過した（多重化時及び反射時）λ４の波長を有する光チャネル信号が光カプラー４（５４２）を経て入力され、光学帯域通過フィルタ５４５の透過帯域から抜け出す場合、これに比例してエラー信号を発生するようになる。
このエラー信号は、比例／積分／微分調節器４（５４４）に入力され、適切なプロセシングにより光源駆動器４（５４１）の駆動電流を制御するようになり、動作波長を光学帯域通過フィルタ５４５の透過ピークに固定させるようになる。
【００４４】
また、第３送信機５３の光検出器３（５３３）には、光学帯域通過フィルタ５３５を２度通過した（多重化時及び反射時）λ３の波長を有する光チャネル信号が光カプラー３（５３２）を経て入力され、光学帯域通過フィルタ５３５の透過帯域から抜け出す場合、これに比例してエラー信号を発生するようになる。このエラー信号は、比例／積分／微分調節器３（５３４）に入力され、適切なプロセシングにより光源駆動器３（５３１）の駆動電流を制御するようになり、動作波長を光学帯域通過フィルタ５３５の透過ピークに固定させるようになる。
【００４５】
また、第２送信機５２の光検出器２（５２３）には、光学帯域通過フィルタ５２５を２度通過した（多重化時及び反射時）λ２の波長を有する光チャネル信号が光カプラー２（５２２）を経て入力され、光学帯域通過フィルタ５２５の透過帯域から抜け出す場合、これに比例してエラー信号を発生するようになる。このエラー信号は、比例／積分／微分調節器２（５２４）に入力され、適切なプロセシングにより光源駆動器２（５２１）の駆動電流を制御するようになり、動作波長を光学帯域通過フィルタ５２５の透過ピークに固定させるようになる。
【００４６】
最後に、第１送信機５１の光検出器１（５１３）には、光学帯域通過フィルタ５１５を２度通過した（多重化時及び反射時）λ１の波長を有する光チャネル信号が光カプラー１（５１２）を経て入力され、光学帯域通過フィルタ５１５の透過帯域から抜け出す場合、これに比例してエラー信号を発生するようになる。このエラー信号は、比例／積分／微分調節器１（５１４）に入力され、適切なプロセシングにより光源駆動器１（５１１）の駆動電流を制御するようになり、動作波長を光学帯域通過フィルタ５１５の透過ピークに固定させるようになる。
【００４７】
整理してみると、多チャネル光送信システムでの光チャネル波長安定化装置は、最後に多重化された多チャネル信号を光経路上で反射するための広帯域の反射フィルタ５５と、光学帯域通過フィルタ５１５、５２５、５３５、５４５を介して通過する「中心波長を有する光チャネル信号」とを光カプラー５１２、５２２、５３２、５４２を介して受け取って、光学帯域通過フィルタ５１５、５２５、５３５、５４５の透過帯域から抜け出す場合、これに比例してエラー信号を発生するための光検出器５１３、５２３、５３３、５４３と、光検出器５１３、５２３、５３３、５４３とのエラー信号をプロセシングし、これを土台に光源駆動器５１１、５２１、５３１、５４１の駆動電流を制御し、動作波長を光学帯域通過フィルタ５１５、５２５、５３５、５４５の透過ピークに固定させる送信機別の比例／積分／微分調節器５１４、５２４、５３４、５４４を含む。
【００４８】
前記で、光カプラー５１２、５２２、５３２、５４２は、光回転機（ｏｐｔｉｃａｌ  ｃｉｒｃｕｌａｔｏｒ）で代替できる。
【００４９】
このような方式で、全ての送信機５１〜５４の動作波長を送信機ユニットに内蔵して多チャネル信号を多重化する時、用いた個別の光学帯域通過フィルタ５１５、５２５、５３５、５４５の透過ピークに固定させるようになる。
【００５０】
本発明のように、複数の光チャネルを波長領域で分離して安定化する場合、光源に印加されるディザリング周波数が全て同じでもよく、また、いくつかのチャネルを区分するために用いられる固定増幅器（Ｌｏｃｋｉｎｇ  ａｍｐｌｉｆｉｅｒ）も必要ではなくなるため、システム構成が簡単になるという利点を有するようになる。
【００５１】
一方、多重化された多チャネル信号は、光線路を通し送信された後に受信端から同じ方式へ逆多重化される。すなわち、個別受信機ユニットに送信機で用いたものと同じフィルタを用いて図６のように逆多重化する。
【００５２】
図６は、本発明に係る光チャネル逆多重化装置が適用される光受信システムの一実施の構成図であり、光学帯域通過フィルタが個別に受信機の入力端に装着され、複数の光チャネルを逆多重化する過程を示す。
【００５３】
例えば、送信端で４チャネル多重化した場合、４チャネル信号λ１＋λ２＋λ３＋λ４は、４チャネル逆多重化装置の第４受信機６４に入力され、第４送信機４４で用いられた中心波長がλ４である光学帯域通過フィルタ４４２と同じ光学帯域通過フィルタ６４２を介してλ４は通過し、異なる波長の光チャネル信号λ１＋λ２＋λ３は反射されて第３受信機６３に入力される。
【００５４】
また、第３受信機６３で反射される３チャネル信号λ１＋λ２＋λ３は、第３送信機４３で用いられた中心波長がλ３である光学帯域通過フィルタ４３２と同じ光学帯域通過フィルタ６３２を介してλ３は通過し、異なる波長の光チャネル信号λ１＋λ２は反射されて第２受信機６２に入力される。
【００５５】
また、第２受信機６２で反射される２チャネル信号λ１＋λ２は、第２送信機４２で用いられた中心波長がλ２である光学帯域通過フィルタ４２２と同じ光学帯域通過フィルタ６２２を介してλ２は通過し、異なる波長の光チャネル信号λ１は反射されて第１受信機６２に入力される。
【００５６】
最後に、第１受信機６１で反射される中心波長がλ１である光チャネル信号は、第１送信機６１で用いられた中心波長がλ１である光学帯域通過フィルタ４１２と同じ光学帯域通過フィルタ６１２を介して通過する。
【００５７】
前記で、前記第１送信機４１での光学帯域通過フィルタ４１２は、必ずしも必要なものではないことを明らかにしたことがあるが、前記第１受信機６１での光学帯域通過フィルタ６１２もまた、送信端で用いられなければ受信端でも用いられない。
【００５８】
整理してみると、多チャネル光受信システムにおける光チャネル逆多重化装置は、送信端から出力された光チャネル信号の波長と同じ中心波長を有する受信機６１〜６４入力端の光学帯域通過フィルタ６１２、６２２、６３２、６４２を含み、光学帯域通過フィルタ６１２、６２２、６３２、６４２を介して通過する信号のピーク波長は、受信する光チャネル信号の中心波長と同じで、異なる受信機から入力される「中心波長以外の波長を有する光チャネル信号」に対して損失なしで反射し、「中心波長を有する光チャネル信号」を該当受信機に、「中心波長以外の波長を有する光チャネル信号」を異なる受信機にチャネル逆多重化する。
【００５９】
尚、本発明は、上記した本実施の形態に限られるものではなく、本発明の技術的思想から逸脱しない範囲内で多様に変更が可能であり、それらも本発明の技術的範囲に属する。
【図面の簡単な説明】
【００６０】
【図１】従来の多重化／逆多重化装置を含む光送信システムの構成例示図である。
【図２】前記図１の多重化／逆多重化装置に用いられるアレイ導波路格子フィルタの透過特性図である。
【図３】本発明に係る光チャネル多重化／逆多重化装置に用いられる光学帯域通過フィルタの動作特性を示す一実施の形態の説明図である。
【図４】本発明に係る光チャネル多重化装置が適用される光送信システムの一実施の形態の構成図である。
【図５】本発明に係る光チャネル多重化装置が適用される光送信システムでの光チャネル波長安定化装置を示す一実施の形態の説明図である。
【図６】本発明に係る光チャネル逆多重化装置が適用される光受信システの一実施例の構成図である。
【符号の説明】
【００６１】
４１〜４４、５１〜５４  送信機
５０  ディザリング信号発生器
５５  広帯域の反射フィルタ
６１〜６４  受信機
４１１、４２１、４３１、４４１  チャネル発生器
４１２、４２２、４３２、４４２、５１５、５２５、５３５、５４５  光学帯域通過フィルタ
５１１、５２１、５３１、５４１  光源駆動器
５１２、５２２、５３２、５４２  光カプラー
５１３、５２３、５３３、５４３  光検出器
５１４、５２４、５３４、５４４  比例／積分／微分調節器
【図１】
2006166410.tif 000003
【図２】
2006166410.tif 000004
【図３】
2006166410.tif 000005
【図４】
2006166410.tif 000006
【図５】
2006166410.tif 000007
【図６】
2006166410.tif 000008